(57)【要約】【課題】  ファイル部材の綴具に簡単かつ確実に着脱できる書類ホルダーを提供する。【解決手段】  書類Ｄを収納する本体２の折曲部３に綴穴１０と切欠１１を形成する。切欠１１を綴穴１０から外側へ斜めに拡開するように形成し、切欠１１を介して綴穴１０をファイル部材８の綴具９に着脱可能に係止する。折曲部３の内側に細長部材１２を挿入し、切欠１１を横切る細長部材１２によって綴穴１０と綴具９を係止状態に保持する。折曲部３と反対側の開放部４に紙押え１４を本体２の内側へ延びるように設け、紙押え１４の基部に見出し片１５を本体２の外側へ突設する。【選択図】        図１
2006205569.tif 000002
【特許請求の範囲】
【請求項１】
書類を収納する本体の側縁に、ファイル部材の綴具に嵌合する綴穴と、綴穴から外側へ斜めに拡開する切欠とを形成し、切欠を介して綴穴を綴具に着脱可能に係止することを特徴とする書類ホルダー。
【請求項２】
本体の側縁に折曲部を設け、折曲部に綴穴と切欠を形成した請求項１記載の書類ホルダー。
【請求項３】
折曲部の内側に切欠を横切るように細長部材を挿入し、細長部材で綴穴と綴具を係止状態に保持する請求項２記載の書類ホルダー。
【請求項４】
折曲部と反対側の本体の側縁に開放部を設けるとともに、開放部から本体の内側へ延びるように紙押えを設けた請求項２又は３記載の書類ホルダー。
【請求項５】
紙押えの基部に見出し片を本体の外側へ突出するように設けた請求項４記載の書類ホルダー。
【発明の詳細な説明】
【技術分野】
【０００１】
本発明は、書類を収納する書類ホルダー、特に、ファイル部材に綴じ込んで用いられる書類ホルダーに関する。
【背景技術】
【０００２】
従来、図６に示すような書類ホルダー５１が知られている。このホルダー５１は、書類Ｄを収納する本体５２の一側縁に綴穴５３を備え、綴穴５３を綴具５４に挿入して、ファイル部材（バインダー）５５に綴じ込むようになっている。しかし、この書類ホルダー５１によると、必要なホルダー５１を取り出すときに、綴具５４を分解して上側のホルダー５１を取り除く面倒があった。
【０００３】
そこで、ホルダーの着脱を容易にするために、特許文献１には、図７に示すように、曲線状の切込み６２を本体６３の側縁から綴穴６４まで延びるように形成し、綴穴６４の周辺に係止片６５を設けた書類ホルダー６１が提案されている。また、特許文献２には、図８に示すように、リング状綴具に係止される切欠７２を本体７３の開放部７４側の縁に形成した書類ホルダー７１が記載されている。
【特許文献１】特開２００２−２２５４７５号公報
【特許文献２】特開２００１−１２１８６７号公報
【発明の開示】
【発明が解決しようとする課題】
【０００４】
ところが、特許文献１の書類ホルダー６１によると、切込み６２が線状に形成されているので、多数のホルダー６１を密に綴じ込んだ場合に、綴穴６４を綴具に差し込みにくくなる問題点があった。また、係止片６５を無理に変形させているため、何度も着脱すると、係止片６５が折れ曲がったり切れたりして機能しなくなる不具合もあった。特許文献２の書類ホルダー７１は、切欠７２が開放部７４側に設けられているので、綴具に対する保持力が弱く、ファイル部材の携帯中にホルダー７１が簡単に脱落してしまうという不都合があった。
【０００５】
本発明の目的は、ファイル部材の綴具に簡単かつ確実に着脱できる書類ホルダーを提供することにある。
【課題を解決するための手段】
【０００６】
上記課題を解決するために、本発明の書類ホルダーは、書類を収納する本体の側縁に、ファイル部材の綴具に嵌合する綴穴と、綴穴から外側へ斜めに拡開する切欠とを形成し、切欠を介して綴穴を綴具に着脱可能に係止することを特徴とする。
【０００７】
ここで、書類ホルダーをファイル部材にしっかりと保持できるように、本体の側縁に折曲部を設け、折曲部に綴穴と切欠を形成するのが好ましい。また、ファイル部材からのホルダーの脱落を確実に防止するために、折曲部の内側に切欠を横切るように細長部材を挿入し、細長部材で綴穴と綴具を係止状態に保持するように構成してもよい。綴穴と綴具を複数個設け、細長部材を少なくとも一つの切欠を横切る長さで形成してもよい。
【０００８】
書類ホルダーの機能性を高める観点からは、折曲部と反対側の本体の側縁に開放部を設けるとともに、開放部から本体の内側へ延びるように紙押えを設けるとよい。この場合、紙押えの基部に見出し片を本体の外側へ突出するように設けるのが望ましい。
【発明の効果】
【０００９】
本発明の書類ホルダーによれば、本体の側縁に綴穴から斜めに拡開する切欠を形成したので、ファイル部材に多数のホルダーを密に綴じ込んだ場合でも、切欠を介して綴穴を綴具に簡単かつスムーズに着脱することができる。また、切欠のテーパ作用によって綴穴を綴具に無理なく導き入れ、綴穴周辺部の耐久性を向上し、綴具に対する綴穴の保持力を高めることができる。
【発明を実施するための最良の形態】
【００１０】
以下、本発明を実施するための最良の形態を図面に基づいて説明する。図１〜図３に示すように、この実施形態の書類ホルダー１は、内側に書類Ｄを収納する長方形の本体２を備えている。本体２は透明又は半透明の合成樹脂シートを二つ折りにして形成されている。本体２の一方の側縁には折曲部３が設けられ、他方の側縁に開放部４が設けられている。本体２の下縁には接着部５が設けられ、上縁に開口部６が形成されている。
【００１１】
折曲部３には、ファイル部材８（バインダーを例示）の棒状綴具９に嵌合する上下一対の綴穴１０と、各綴穴１０から外側へ斜めに拡開する切欠１１とが形成されている。切欠１１の幅は、内端が綴具９の直径よりも狭く、外端が綴具９の直径よりも広く設定されている（図３参照）。折曲部３の内側には、金属又は樹脂製の細長部材１２が二つの切欠１１を横切るように挿入され、その上端に摘み１３が設けられている。そして、切欠１１を介して綴穴１０を綴具９に着脱可能に係止し、双方の係止状態を細長部材１２で保持するように構成されている。
【００１２】
折曲部３と反対側の開放部４において、本体２には紙押え１４が本体２の内側へ延びるように一体的に形成されている。紙押え１４は折曲加工により形成され、その基部（折り曲げた部分）に見出し片１５が本体２の外側へ突出するように設けられている。なお、見出し片１５にラベルを貼り付けてもよく、ラベルを収納するポケットを設けてもよい。また、本体２、紙押え１４、見出し片１５、細長部材１２の摘み１３を同じ色で統一し、書類ホルダー１を色により識別可能に構成してもよい。
【００１３】
この実施形態の書類ホルダー１によれば、上述した効果に加え、次のような作用効果を奏する。
（ａ）綴穴１０と切欠１１を本体２の折曲部３に形成したので、綴穴１０の周辺部に変形が残りにくくなり、長期間にわたりホルダー１をファイル部材８にしっかりと保持することができる。
（ｄ）折曲部３の内側に細長部材１２を挿入したので、収納量が増えた場合でも、綴穴１０を綴具９に強固に保持して、ホルダー１の脱落を確実に防止することができる。
【００１４】
（ｃ）本体２の開放部４側に紙押え１４を設けたので、本体２内の書類Ｄを紙押え１４で保持して、開放部４からの散逸を防止することができる。
（ｄ）紙押え１４の基部に見出し片１５を突設したので、紙押え機能と見出し機能を本体２の一箇所において見栄えよく達成することができる。
（ｅ）紙押え１４及び見出し片１５を折曲加工により本体２と一体的に形成したので、書類ホルダー１を安価に製作することができる。
【００１５】
なお、本発明は上記実施形態に限定されるものではなく、以下に例示するように、本発明の趣旨を逸脱しない範囲で各部の構成を適宜に変更して実施することも可能である。
（１）図４に示すように、細長部材１２を図２に示したものよりも短く、つまり上側の切欠１１のみを横切るような長さで形成する。こうすれば、細長部材１２を一つの切欠１１に通すだけの操作で、ホルダー１をファイル部材８により簡単に着脱できる。
（２）図４に示すように、細長部材１２の基端に指掛部１６を折曲形成し、ここに指を掛けて細長部材１２をより簡単に操作できるようにする。
（３）図４に示すように、紙押え１４を本体２に貼り合わせ、双方の貼合部によって見出し片１５を形成する。
【００１６】
（４）図５に示すように、本体２の一方の側縁に折曲部３を設け、他方の側縁と下縁に接着部５を設け、上縁に開口部６を形成して、本体２を封筒型に構成し、折曲部３に綴穴１０と切欠１１と細長部材１２とを設ける。
（５）綴穴１０と切欠１１の数を増やし、書類ホルダー１をリング状綴具を備えたファイル部材にファイリングできるように構成する。
（６）携帯用バッグをファイル部材として使用し、このバッグに内蔵した綴具に本発明の書類ホルダー１を着脱可能にファイリングする。この場合、本体２の内側にレシート等の小物入れを設けてもよい。
【図面の簡単な説明】
【００１７】
【図１】本発明の書類ホルダーの使用状態を示す斜視図である。
【図２】書類ホルダーのみを示す斜視図である。
【図３】書類ホルダーの要部拡大図である。
【図４】書類ホルダーの変更例を示す斜視図である。
【図５】書類ホルダーの別の変更例を示す斜視図である。
【図６】従来の書類ホルダーの使用状態を示す斜視図である。
【図７】特許文献１の書類ホルダーを示す斜視図である。
【図８】特許文献２の書類ホルダーを示す正面図である。
【符号の説明】
【００１８】
１    書類ホルダー
２    本体
３    折曲部
４    開放部
８    ファイル部材
９    綴具
１０    綴穴
１１    切欠
１２    細長部材
１４    紙押え
１５    見出し片
１６    指掛部
Ｄ    書類
【図１】
2006205569.tif 000003
【図２】
2006205569.tif 000004
【図３】
2006205569.tif 000005
【図４】
2006205569.tif 000006
【図５】
2006205569.tif 000007
【図６】
2006205569.tif 000008
【図７】
2006205569.tif 000009
【図８】
2006205569.tif 000010